(57)【特許請求の範囲】
【請求項１】
複数の回路要素を接続した射出成形機の電気回路装置において、接続用配線を接続可能な複数の接続端子部を実装し、かつ標準で搭載した標準回路要素に対して追加回路要素を接続するための分断した一対の配線ラインを複数設けるとともに、前記一対の配線ラインと一対の前記接続端子部をそれぞれ導通させたコネクタ基板を備え、前記一対の接続端子部間に、短絡用の接続要素又は前記追加回路要素を選択的に接続可能に構成したことを特徴とする射出成形機の電気回路装置。
【請求項２】
前記接続端子部は、挿入した接続用配線の芯線を直接係止する構造を有することを特徴とする請求項１記載の射出成形機の電気回路装置。
【請求項３】
前記接続要素は、前記一対の接続端子部間に接続した開閉スイッチであることを特徴とする請求項１記載の射出成形機の電気回路装置。
【請求項４】
前記接続要素は、前記一対の接続端子部間に接続可能な導通部材であることを特徴とする請求項１記載の射出成形機の電気回路装置。
【請求項５】
前記コネクタ基板には、外部の回路要素を前記配線ラインに接続する一又は二以上のコネクタを実装することを特徴とする請求項１記載の射出成形機の電気回路装置。
【発明の詳細な説明】
【０００１】
【発明の属する技術分野】
本発明は、複数の回路要素を接続した射出成形機の電気回路装置に関する。
【０００２】
【従来の技術】
一般に、射出成形機は、各種センサ類，リレーを含むスイッチ類，回路基板類等の複数の電気的な回路要素を搭載し、各回路要素は接続用配線（接続ケーブル）により接続して電気回路装置を構成している。
【０００３】
ところで、この種の電気回路装置は、工場出荷時には標準回路要素を搭載しているが、ユーザサイドの要求にも応えられるように、通常、後付により追加回路要素を接続して標準回路要素を変更できるように構成（設計）している。具体的には、それぞれの回路要素の近傍に中継ターミナルを配設し、追加回路要素の接続対象となる回路（ライン）は、直接接続することなしに分断し、一旦、中継ターミナルを介して接続する。これにより、追加回路要素を接続する際には、中継ターミナルに接続した接続用配線を取外し、中継ターミナルを利用して追加回路要素を接続することができる。
【０００４】
【発明が解決しようとする課題】
しかし、上述した従来の電気回路装置は、次のような問題点があった。
【０００５】
第一に、中継ターミナルは各回路要素に対応して配設場所が分散するため、全体の配設スペースが大きく取られてしまう。また、追加回路要素を接続する際には、取扱説明書等により場所を確認しなければならず、煩わしさを強いられるとともに、配設場所によっては作業を行いにくく誤接続も生じやすい。
【０００６】
第二に、中継ターミナルに対する接続用配線の接続は、通常、ネジ止めされるため、作業に手間と時間がかかるとともに、ネジ締めや接続状態が確実に行われないときには、振動等により接続用配線が外れる虞れがあるなど、信頼性の面で難がある。
【０００７】
本発明は、このような従来の技術に存在する課題を解決したものであり、追加回路要素の集中化により、全体の省スペース化を図れるとともに、接続作業の容易化及び作業時間の短縮化、さらには後付接続の確実性及び信頼性を高めることができる射出成形機の電気回路装置の提供を目的とする。
【０００８】
【課題を解決するための手段及び実施の形態】
本発明は、複数の回路要素２ａ，２ｂ…を接続した射出成形機Ｍの電気回路装置１を構成するに際して、接続用配線Ｃａ…を接続可能な複数の接続端子部３…を実装し、かつ標準で搭載した標準回路要素２ｓａ…に対して追加回路要素２ｒａ…を接続するための分断した一対の配線ライン４ｍ，４ｎ…を複数設けるとともに、一対の配線ライン４ｍ，４ｎ…と一対の接続端子部３，３…をそれぞれ導通させたコネクタ基板５を備え、一対の接続端子部３と３…間に、短絡用の接続要素６…又は追加回路要素２ｒａ…を選択的に接続可能に構成したことを特徴とする。
【０００９】
この場合、好適な実施の形態により、接続端子部３…は、挿入した接続用配線Ｃａ…の芯線Ｃａｓ…を直接係止する構造を有する。また、接続要素６としては、一対の接続端子部３と３間に接続した開閉スイッチ１１或いは一対の接続端子部３と３間に接続可能な導通部材１２を用いることができる。さらに、コネクタ基板５には、外部の回路要素２ａ…を配線ライン４ｍ…に接続する一又は二以上のコネクタ１３ａ…を実装する。
【００１０】
これにより、コネクタ基板５には、追加回路要素２ｒａ…を接続するための分断した一対の配線ライン４ｍ，４ｎ…を集中して設けることが可能となり、全体の省スペース化が図られるとともに、加えて、一対の接続端子部３と３…間には、短絡用の接続要素６…又は追加回路要素２ｒａ…を選択的に接続可能に構成したため、接続作業の容易化と作業時間の短縮化が図られる。特に、挿入した接続用配線Ｃａ…の芯線Ｃａｓ…を直接係止する構造の接続端子部３…を実装することにより、後付接続の確実性及び信頼性が高められる。
【００１１】
【実施例】
次に、本発明の好適な実施例に係る射出成形機Ｍの電気回路装置１について、図１〜図７を参照して詳細に説明する。
【００１２】
図１は、仮想線で示す射出成形機Ｍに搭載した電気回路装置１を示す。電気回路装置１は、複数の回路要素（２ａ，２ｂ…）を接続して構成する。この回路要素には、シーケンサ（メイン軸ボード）２ａ，操作ボックス２ｂ，リレー基板２ｃ，リレー板２ｄ，警報ユニット２ｅ，自動給油ユニット２ｆ，自動給脂ユニット２ｇ，安全ドア用リミットスイッチ群２ｈ，型締装置用近接スイッチ群２ｉ，射出装置用近接スイッチ群２ｊ等が含まれる。例示の回路要素２ａ…は一例であり、その他、各種回路要素を備えて構成できる。なお、本明細書における回路要素には、基板やユニット等の部品の集合体をはじめ、基板に実装されている個々の機能回路や各部品も回路要素に含まれる。
【００１３】
また、電気回路装置１には、本発明に従ってコネクタ基板５を備える。コネクタ基板５は、図２に示すように、プリント配線基板２１を備え、このプリント配線基板２１には、後述する追加回路要素２ｒａ，２ｒｂ，２ｒｃ（図６及び図７参照）を接続するための分断した一対の配線ライン４ｍ，４ｎ…（図５及び図７参照）を配線パターンにより多数設ける。
【００１４】
さらに、プリント配線基板２１上には、複数（実施例は二十五個）の接続ユニット２２…を整列させて実装する。各接続ユニット２２…は、二個を対にして一方向に並べた基本列Ｘｍ…と、一個を一方向に並べた補助列Ｘｓを有する。接続ユニット２２は、図２に一部抽出拡大図で示すように、一方向に並んだ八個の接続端子部３…を備え、一対の配線ライン４ｍ，４ｎ…が、対で並んだ各接続ユニット２２…における隣同士の接続端子部３，３…にそれぞれ導通するように、各接続端子部３…の接続リードを各配線ライン４ｍ，４ｎ…に半田付等により接続する。なお、補助列Ｘｓにおける接続端子部３…は全てアースラインに接続することにより、コモン端子として利用する。
【００１５】
この接続端子部３…には、図３に示す接続用配線Ｃａ…を接続することができる。接続端子部３…は、挿入した接続用配線Ｃａ…の芯線Ｃａｓ…を直接係止する構造を有する。この場合、マイナスドライバＤｎの先端等を操作孔４１に差込めば、接続孔４２の中に配した係止端子が開くため、この状態で、接続用配線Ｃａの被覆を除去した芯線Ｃａｓを、接続孔４２に挿入し、この後、マイナスドライバＤｎを操作孔４１から引抜けば、係止端子が芯線Ｃａｓを噛み、かつ芯線Ｃａｓの抜けを阻止する。このように接続端子部３…への接続用配線Ｃａ…の接続は、容易かつ確実に行うことができる。なお、図３に示すように、一個の接続端子部３に対して複数本の接続用配線Ｃｂ，Ｃｃ…の芯線Ｃｂｓ，Ｃｃｓ…を同時に接続することも可能である。
【００１６】
また、プリント配線基板２１上には、図２に示すように、基本列Ｘｍに隣接し、かつ基本列Ｘｍに沿った複数（実施例は十一個）のスイッチユニット２３…を実装する。スイッチユニット２３は、図２に一部抽出拡大図で示すように、一列に並んだ八個の開閉スイッチ１１…を備える。なお、開閉スイッチ１１は、ディップスイッチ等を利用でき、図３に示すスイッチノブ１１ｎを変位させてＯＮ−ＯＦＦすることができる。そして、図５に示すように、開閉スイッチ１１の一方の接点１１ａは、一対の接続端子部３，３のうち一方の接続端子部３に接続し、他方の接点１１ｂは、他方の接続端子部３に接続する。この場合、各接点１１ａ…と各接続端子部３…は、プリント配線基板２１に設けた配線パターンにより接続する。
【００１７】
他方、プリント配線基板２１上には、図１に示すように、外部の回路要素２ａ…と接続する複数（実施例は六個）のコネクタ１３ａ…を実装する。実施例において、１３ａは接続ケーブル２５を介してシーケンサ２ａに接続する５０ピンのコネクタ，１３ｂは接続ケーブル２６を介してシーケンサ２ａに接続する４０ピンのコネクタ，１３ｃは接続ケーブル２７を介して操作ボックス２ｂに接続する３０ピンのコネクタ，１３ｄは接続ケーブル２８を介してリレー基板２ｃに接続する３０ピンのコネクタ，１３ｅは接続ケーブル２９を介して型締装置用近接スイッチ群２ｉに接続する１４ピンのコネクタ，１３ｆは接続ケーブル３０を介して射出装置用近接スイッチ群２ｊに接続する１０ピンのコネクタを示す。そして、このように構成した電気回路装置１では、コネクタ基板５を利用して、図５（図６）に示す後付用回路Ｅａ或いは図７に示す後付用回路Ｅｂ等を多数設けることができる。
【００１８】
図５に示す後付用回路Ｅａは、シーケンサ２ａに、標準回路要素（スイッチ）５１ｓと標準回路要素５２ｓの直列回路を、電源ラインＬｈとアースライン間に接続した標準回路要素２ｓａを備え、この標準回路要素２ｓａをユーザサイドで変更できるように構成（設計）した場合を例示する。この場合、標準回路要素５１ｓと５２ｓを接続する接続ラインは分断し、それぞれ接続ケーブル２５及びコネクタ１３ａを介して、プリント配線基板２１に設けた一対の配線ライン４ｍ，４ｎに接続する。
【００１９】
したがって、後付用回路Ｅａにおける一対の接続端子部３と３間を非接続状態にし、開閉スイッチ１１をＯＮに切換えれば、標準回路要素５１ｓと５２ｓが直接接続される標準回路要素２ｓａを構成できる。一方、開閉スイッチ１１のスイッチノブ１１ｎを操作してＯＦＦに切換えるとともに、図６に示すように、一対の接続端子部３と３間に、追加回路要素２ｒａを接続用配線Ｃａ…（図３）を利用して接続すれば、標準回路要素５１ｓ，追加回路要素２ｒａ及び標準回路要素５２ｓの直接回路を構成することができ、ユーザサイドで標準回路要素２ｓａを容易に変更できる。
【００２０】
他方、図７に示す後付用回路Ｅｂは、シーケンサ２ａに、標準回路要素（スイッチ）５３ｓと標準回路要素５４ｓの直列回路を、電源ラインＬｈとアースライン間に接続した標準回路要素２ｓｂを備え、この標準回路要素２ｓｂを上記標準回路要素２ｓａとは異なる形態に変更できるように構成（設計）した場合を例示する。この場合、標準回路要素５３ｓと５４ｓを接続する接続ラインは分断し、それぞれ接続ケーブル２５及びコネクタ１３ａを介して、プリント配線基板２１に設けた一対の配線ライン４ｍ，４ｎに接続する。
【００２１】
したがって、後付用回路Ｅｂにおける一対の接続端子部３と３間を非接続状態にし、開閉スイッチ１１をＯＮに切換えれば、標準回路要素５３ｓと５４ｓが直接接続される図５と同様の標準回路要素２ｓｂを構成できる。一方、開閉スイッチ１１のスイッチノブ１１ｎを操作してＯＦＦに切換えるとともに、図７に示すように、一対の接続端子部３と３間に、第一追加回路要素２ｒｂを接続し、さらに、この追加回路要素２ｒｂを接続した一方の接続端子部３と前述した補助列Ｘｓの接続端子部３間に、第二追加回路要素２ｒｃを接続すれば、標準回路要素５３ｓ，第一追加回路要素２ｒｂ及び標準回路要素５４ｓの直接回路に加え、第一追加回路要素２ｒｂの一端とアースライン間に第二追加回路要素２ｒｃを接続した回路を構成できる。
【００２２】
このように、本実施例に係る電気回路装置１は、コネクタ基板５を設けるとともに、このコネクタ基板５と他の回路要素２ａ…をコネクタ１３ａ…により接続したため、追加回路要素２ｒａ…を接続するための分断した一対の配線ライン４ｍ，４ｎ…を集中して設けることができ、全体の省スペース化を図ることができる。加えて、一対の接続端子部３と３…間に、短絡用の接続要素６…又は追加回路要素２ｒａ…を選択的に接続できるため、接続作業の容易化と作業時間の短縮化を図ることができる。しかも、挿入した接続用配線Ｃａ…の芯線Ｃａｓ…を直接係止する構造の接続端子部３…を実装したため、ユーザサイドにおける後付接続の確実性及び信頼性を高めることができる。
【００２３】
なお、上記実施例では、短絡用の接続要素６として開閉スイッチ１１を用いた場合を示したが、開閉スイッチ１１を用いることなく、図４に示す導通部材１２を用いてもよい。導通部材１２は、両端に接続リード部１２ｓ，１２ｓを有し、各接続リード部１２ｓ，１２ｓを一対の接続端子部３…の接続孔４２…にそれぞれ挿入（接続）すれば、一対の接続端子部３と３間を短絡させることができる。したがって、開閉スイッチ１１を用いた場合のＯＮ状態にすることができる。他方、導通部材１２を接続端子部３…から離脱すれば、開閉スイッチ１１を用いた場合のＯＦＦ状態にすることができる。導通部材１２の形態は、例示に限らず、例えば、単なる接続線であってもよい。
【００２４】
その他、細部の構成，形状，部品，数量等において、本発明の要旨を逸脱しない範囲で任意に変更，追加，削除することができる。特に、図５及び図７に示した後付用回路Ｅａ，Ｅｂは例示であって、任意の回路により構成することができる。
【００２５】
【発明の効果】
このように、本発明に係る射出成形機の電気回路装置は、接続用配線を接続可能な複数の接続端子部を実装し、かつ標準で搭載した標準回路要素に対して追加回路要素を接続するための分断した一対の配線ラインを複数設けるとともに、一対の配線ラインと一対の接続端子部をそれぞれ導通させたコネクタ基板を備え、一対の接続端子部間に、短絡用の接続要素又は追加回路要素を選択的に接続可能に構成したため、次のような顕著な効果を奏する。
【００２６】
（１）  コネクタ基板に追加回路要素を接続するための分断した一対の配線ラインを集中して設けることができるため、全体の省スペース化を図ることができる。
【００２７】
（２）  コネクタ基板により、追加回路要素を集中させることができることに加えて、一対の接続端子部間に、短絡用の接続要素又は追加回路要素を選択的に接続できるため、接続作業の容易化と作業時間の短縮化を図ることができる。
【００２８】
（３）  好適な実施の形態により、コネクタ基板に、挿入した接続用配線の芯線を直接係止する構造を有する接続端子部を実装すれば、ユーザサイドにおける後付接続の確実性及び信頼性を高めることができる。
【図面の簡単な説明】
【図１】本発明の好適な実施例に係る電気回路装置のブロック構成図、
【図２】同電気回路装置に備えるコネクタ基板及び一部抽出拡大図を含む平面図、
【図３】同コネクタ基板に実装した接続端子部及び開閉スイッチの平面図、
【図４】同コネクタ基板に実装した接続端子部と導通部材の斜視図、
【図５】同電気回路装置の要部回路（後付用回路）を標準回路要素として構成した回路図、
【図６】同電気回路装置の要部回路（後付用回路）を変更した標準回路要素として構成した回路図、
【図７】同電気回路装置の要部回路（後付用回路）を他の変更した標準回路要素として構成した回路図、
【符号の説明】
１        電気回路装置
２ａ…    回路要素
２ｓａ…  標準回路要素
２ｒａ…  追加回路要素
３…      接続端子部
４ｍ…    配線ライン
５        コネクタ基板
６…      短絡用の接続要素
１１…    開閉スイッチ
１２      導通部材
１３ａ…  コネクタ
Ｍ        射出成形機
Ｃａ…    接続用配線
Ｃａｓ…  接続用配線の芯線
【図１】
0003586209.tif 000002
【図２】
0003586209.tif 000003
【図３】
0003586209.tif 000004
【図４】
0003586209.tif 000005
【図５】
0003586209.tif 000006
【図６】
0003586209.tif 000007
【図７】
0003586209.tif 000008